(57)【要約】【課題】５倍程度の高いズーミング比を有するうえ、広角端での画角が大きく、小型で広角撮影に充分に適応できるズームレンズ系、撮像装置及びカメラを提供する。【解決手段】物体側から像側へと順に、負パワーの第１レンズ群と、正パワーの第２レンズ群と、正パワーの第３レンズ群とを備え、ズーミングの際に３つ以上のレンズ群を光軸に沿って移動させて変倍を行い、各レンズ群が条件：２１＜νｄ、０．５５＜ＰｇＦ、０．０００＜ＰｇＦ＋０．００３２×νｄ−０．７０５及び０．０００＜ＰｇＦ＋０．００２０×νｄ−０．６６４（νｄ：レンズ素子のｄ線に対するアッベ数、ＰｇＦ：レンズ素子のｇ線とＦ線との部分分散比）を満足するレンズ素子を１枚以上有し、条件：３．８５＜Ｚ×ｔａｎ（ωW）（Ｚ＝ｆT／ｆW、ｆW、ｆT：広角端、望遠端におけるレンズ系の焦点距離、ωW：広角端における半画角）を満足するズームレンズ系、撮像装置及びカメラ。【選択図】図１
2013145285.tif 000002
【特許請求の範囲】
【請求項１】
少なくとも１枚のレンズ素子で構成されたレンズ群を複数有するズームレンズ系であって、
物体側から像側へと順に、負のパワーを有する第１レンズ群と、正のパワーを有する第２レンズ群と、正のパワーを有する第３レンズ群とを備え、
撮像時の広角端から望遠端へのズーミングの際に、少なくとも３つのレンズ群を光軸に沿って移動させて変倍を行い、
各レンズ群が、以下の条件（１）〜（４）を満足するレンズ素子を少なくとも１枚有し、
以下の条件（５）を満足することを特徴とする、ズームレンズ系：
２１＜νｄ  ・・・（１）
０．５５＜ＰｇＦ  ・・・（２）
０．０００＜ＰｇＦ＋０．００３２×νｄ−０．７０５  ・・・（３）
０．０００＜ＰｇＦ＋０．００２０×νｄ−０．６６４  ・・・（４）
３．８５＜Ｚ×ｔａｎ（ωW）  ・・・（５）
ここで、
νｄ：レンズ系を構成するレンズ素子のｄ線に対するアッベ数、
ＰｇＦ：レンズ系を構成するレンズ素子のｇ線とＦ線との部分分散比、
Ｚ：次式で表される値
Ｚ＝ｆT／ｆW、
ｆW：広角端におけるレンズ系の焦点距離、
ｆT：望遠端におけるレンズ系の焦点距離、
ωW：広角端における半画角（°）
である。
【請求項２】
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子と
を備え、
前記ズームレンズ系が、請求項１に記載のズームレンズ系である、撮像装置。
【請求項３】
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、請求項１に記載のズームレンズ系である、カメラ。
【発明の詳細な説明】
【技術分野】
【０００１】
本発明は、ズームレンズ系、撮像装置及びカメラに関する。特に本発明は、高解像度を有するのは勿論のこと、５倍程度の高いズーミング比を有するだけでなく、広角端での画角が大きく、小型でありながら広角撮影に充分に適応できるズームレンズ系、該ズームレンズ系を含む撮像装置、及び該撮像装置を備えた薄型でコンパクトなカメラに関する。
【背景技術】
【０００２】
デジタルスチルカメラやデジタルビデオカメラ等の、光電変換を行う撮像素子を持つカメラ（以下、単にデジタルカメラという）に対するコンパクト化及び高性能化の要求は極めて強い。特に、ズーミング比が高いズームレンズ系を搭載したコンパクトタイプのデジタルカメラが、その利便性から強く要望されている。またさらに、撮影範囲が広い広角域を持つズームレンズ系も求められている。このようなズームレンズ系としては、例えば、物体側から像側へと順に、負のパワーを有する第１レンズ群と、正のパワーを有する第２レンズ群と、正のパワーを有する第３レンズ群とが配置された、負正正の３群構成を有するズームレンズ系が種々提案されている。
【０００３】
特許文献１には、前記負正正の３群構成を有し、異常分散性を有する材料からなる光学素子をいずれかのレンズ群に含み、該光学素子の焦点距離、該光学素子から開口絞りまでの距離、光学全長及び全系の焦点距離の関係を規定したズームレンズが開示されている。
【０００４】
特許文献２には、前記負正正の３群構成を有し、正のパワーを有するレンズ群が２つの接合レンズを含み、該２つの接合レンズが異常分散性を有する材料からなるレンズで構成されたズームレンズが開示されている。
【先行技術文献】
【特許文献】
【０００５】
【特許文献１】特開２００８−２０９７２７号公報
【特許文献２】特開２００３−２４１０９１号公報
【発明の概要】
【発明が解決しようとする課題】
【０００６】
しかしながら、特許文献１に開示のズームレンズは、比較的高いズーミング比を有するものの、広角端での画角が小さく、広角撮影に充分に適応できるものではない。また特許文献２に開示のズームレンズは、ズーミング比が小さく、しかも広角端での画角も小さく、広角撮影に充分に適応できるものではない。したがって、特許文献１及び２に開示のズームレンズはいずれも、近年のデジタルカメラにおける要求を満足し得るものではない。
【０００７】
本発明の目的は、高解像度を有するのは勿論のこと、５倍程度の高いズーミング比を有するだけでなく、広角端での画角が大きく、小型でありながら広角撮影に充分に適応できるズームレンズ系、該ズームレンズ系を含む撮像装置、及び該撮像装置を備えた薄型でコンパクトなカメラを提供することである。
【課題を解決するための手段】
【０００８】
上記目的の１つは、以下のズームレンズ系により達成される。すなわち本発明は、
少なくとも１枚のレンズ素子で構成されたレンズ群を複数有し、
物体側から像側へと順に、負のパワーを有する第１レンズ群と、正のパワーを有する第２レンズ群と、正のパワーを有する第３レンズ群とを備え、
撮像時の広角端から望遠端へのズーミングの際に、少なくとも３つのレンズ群を光軸に沿って移動させて変倍を行い、
各レンズ群が、以下の条件（１）〜（４）：
２１＜νｄ  ・・・（１）
０．５５＜ＰｇＦ  ・・・（２）
０．０００＜ＰｇＦ＋０．００３２×νｄ−０．７０５  ・・・（３）
０．０００＜ＰｇＦ＋０．００２０×νｄ−０．６６４  ・・・（４）
（ここで、
νｄ：レンズ系を構成するレンズ素子のｄ線に対するアッベ数、
ＰｇＦ：レンズ系を構成するレンズ素子のｇ線とＦ線との部分分散比
である）
を満足するレンズ素子を少なくとも１枚有し、
以下の条件（５）：
３．８５＜Ｚ×ｔａｎ（ωW）  ・・・（５）
（ここで、
Ｚ：次式で表される値
Ｚ＝ｆT／ｆW、
ｆW：広角端におけるレンズ系の焦点距離、
ｆT：望遠端におけるレンズ系の焦点距離、
ωW：広角端における半画角（°）
である）
を満足することを特徴とする、ズームレンズ系
に関する。
【０００９】
上記目的の１つは、以下の撮像装置により達成される。すなわち本発明は、
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子と
を備え、
前記ズームレンズ系が、
少なくとも１枚のレンズ素子で構成されたレンズ群を複数有し、
物体側から像側へと順に、負のパワーを有する第１レンズ群と、正のパワーを有する第２レンズ群と、正のパワーを有する第３レンズ群とを備え、
撮像時の広角端から望遠端へのズーミングの際に、少なくとも３つのレンズ群を光軸に沿って移動させて変倍を行い、
各レンズ群が、以下の条件（１）〜（４）：
２１＜νｄ  ・・・（１）
０．５５＜ＰｇＦ  ・・・（２）
０．０００＜ＰｇＦ＋０．００３２×νｄ−０．７０５  ・・・（３）
０．０００＜ＰｇＦ＋０．００２０×νｄ−０．６６４  ・・・（４）
（ここで、
νｄ：レンズ系を構成するレンズ素子のｄ線に対するアッベ数、
ＰｇＦ：レンズ系を構成するレンズ素子のｇ線とＦ線との部分分散比
である）
を満足するレンズ素子を少なくとも１枚有し、
以下の条件（５）：
３．８５＜Ｚ×ｔａｎ（ωW）  ・・・（５）
（ここで、
Ｚ：次式で表される値
Ｚ＝ｆT／ｆW、
ｆW：広角端におけるレンズ系の焦点距離、
ｆT：望遠端におけるレンズ系の焦点距離、
ωW：広角端における半画角（°）
である）
を満足することを特徴とするズームレンズ系である、撮像装置
に関する。
【００１０】
上記目的の１つは、以下のカメラにより達成される。すなわち本発明は、
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
少なくとも１枚のレンズ素子で構成されたレンズ群を複数有し、
物体側から像側へと順に、負のパワーを有する第１レンズ群と、正のパワーを有する第２レンズ群と、正のパワーを有する第３レンズ群とを備え、
撮像時の広角端から望遠端へのズーミングの際に、少なくとも３つのレンズ群を光軸に沿って移動させて変倍を行い、
各レンズ群が、以下の条件（１）〜（４）：
２１＜νｄ  ・・・（１）
０．５５＜ＰｇＦ  ・・・（２）
０．０００＜ＰｇＦ＋０．００３２×νｄ−０．７０５  ・・・（３）
０．０００＜ＰｇＦ＋０．００２０×νｄ−０．６６４  ・・・（４）
（ここで、
νｄ：レンズ系を構成するレンズ素子のｄ線に対するアッベ数、
ＰｇＦ：レンズ系を構成するレンズ素子のｇ線とＦ線との部分分散比
である）
を満足するレンズ素子を少なくとも１枚有し、
以下の条件（５）：
３．８５＜Ｚ×ｔａｎ（ωW）  ・・・（５）
（ここで、
Ｚ：次式で表される値
Ｚ＝ｆT／ｆW、
ｆW：広角端におけるレンズ系の焦点距離、
ｆT：望遠端におけるレンズ系の焦点距離、
ωW：広角端における半画角（°）
である）
を満足することを特徴とするズームレンズ系である、カメラ
に関する。
【発明の効果】
【００１１】
本発明によれば、高解像度を有するのは勿論のこと、５倍程度の高いズーミング比を有するだけでなく、広角端での画角が大きく、小型でありながら広角撮影に充分に適応できるズームレンズ系、該ズームレンズ系を含む撮像装置、及び該撮像装置を備えた薄型でコンパクトなカメラを提供することができる。
【図面の簡単な説明】
【００１２】
【図１】実施の形態１（実施例１）に係るズームレンズ系の無限遠合焦状態を示すレンズ配置図
【図２】実施例１に係るズームレンズ系の無限遠合焦状態の縦収差図
【図３】実施の形態２（実施例２）に係るズームレンズ系の無限遠合焦状態を示すレンズ配置図
【図４】実施例２に係るズームレンズ系の無限遠合焦状態の縦収差図
【図５】実施の形態３（実施例３）に係るズームレンズ系の無限遠合焦状態を示すレンズ配置図
【図６】実施例３に係るズームレンズ系の無限遠合焦状態の縦収差図
【図７】実施の形態４（実施例４）に係るズームレンズ系の無限遠合焦状態を示すレンズ配置図
【図８】実施例４に係るズームレンズ系の無限遠合焦状態の縦収差図
【図９】実施の形態５に係るデジタルスチルカメラの概略構成図
【発明を実施するための形態】
【００１３】
（実施の形態１〜４）
図１、３、５及び７は、各々実施の形態１〜４に係るズームレンズ系のレンズ配置図であり、いずれも無限遠合焦状態にあるズームレンズ系を表している。
【００１４】
各図において、（ａ）図は広角端（最短焦点距離状態：焦点距離ｆW）のレンズ構成、（ｂ）図は中間位置（中間焦点距離状態：焦点距離ｆM＝√（ｆW＊ｆT））のレンズ構成、（ｃ）図は望遠端（最長焦点距離状態：焦点距離ｆT）のレンズ構成をそれぞれ表している。また各図において、（ａ）図と（ｂ）図との間に設けられた折れ線の矢印は、上から順に、広角端、中間位置、望遠端の各状態におけるレンズ群の位置を結んで得られる直線である。広角端と中間位置との間、中間位置と望遠端との間は、単純に直線で接続されているだけであり、実際の各レンズ群の動きとは異なる。
【００１５】
さらに各図において、レンズ群に付された矢印は、無限遠合焦状態から近接物体合焦状態へのフォーカシングを表す。すなわち、図１、３、５及び７では、後述する第３レンズ群Ｇ３が無限遠合焦状態から近接物体合焦状態へのフォーカシングの際に移動する方向を示している。
【００１６】
各実施の形態に係るズームレンズ系は、物体側から像側へと順に、負のパワーを有する第１レンズ群Ｇ１と、正のパワーを有する第２レンズ群Ｇ２と、正のパワーを有する第３レンズ群Ｇ３とを備える。ズーミングに際して、各レンズ群の間隔、すなわち、前記第１レンズ群Ｇ１と第２レンズ群Ｇ２との間隔、及び第２レンズ群Ｇ２と第３レンズ群Ｇ３との間隔がいずれも変化するように、全レンズ群が光軸に沿った方向にそれぞれ移動する。各実施の形態に係るズームレンズ系は、これら各レンズ群を所望のパワー配置にすることにより、高い光学性能を保持しつつ、レンズ系全体の小型化を可能にしている。
【００１７】
なお図１、３、５及び７において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表し、該像面Ｓの物体側（像面Ｓと第３レンズ群Ｇ３の最像側レンズ面との間）には、光学的ローパスフィルタや撮像素子のフェースプレート等と等価な平行平板Ｐが設けられている。
【００１８】
さらに図１、３、５及び７において、第２レンズ群Ｇ２の最物体側、すなわち、第１レンズ群Ｇ１と第２レンズ群Ｇ２との間に開口絞りＡが設けられている。
【００１９】
図１に示すように、実施の形態１に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。これらのうち、第２レンズ素子Ｌ２は、その両面が非球面である。なお、第２レンズ素子Ｌ２は、後述する条件（１）〜（４）を全て満足する。
【００２０】
実施の形態１に係るズームレンズ系において、第２レンズ群Ｇ２は、物体側から像側へと順に、両凸形状の第３レンズ素子Ｌ３と、両凹形状の第４レンズ素子Ｌ４と、物体側に凸面を向けた負メニスカス形状の第５レンズ素子Ｌ５とからなる。これらのうち、第３レンズ素子Ｌ３と第４レンズ素子Ｌ４とが接合されており、後述する対応数値実施例における面データでは、これら第３レンズ素子Ｌ３と第４レンズ素子Ｌ４との間の接着剤層に面番号７が付与されている。また、第５レンズ素子Ｌ５は、その両面が非球面である。なお、第５レンズ素子Ｌ５は、後述する条件（１）〜（４）を全て満足する。
【００２１】
実施の形態１に係るズームレンズ系において、第３レンズ群Ｇ３は、像側に凸面を向けた正メニスカス形状の第６レンズ素子Ｌ６のみからなる。この第６レンズ素子Ｌ６は、その両面が非球面である。また、第６レンズ素子Ｌ６は、後述する条件（１）〜（４）を全て満足する。
【００２２】
なお、実施の形態１に係るズームレンズ系において、第２レンズ群Ｇ２の物体側には、開口絞りＡが設けられている。該開口絞りＡは、撮像時の広角端から望遠端へのズーミングの際に、第２レンズ群Ｇ２と一体的に光軸上を物体側へ移動する。
【００２３】
実施の形態１に係るズームレンズ系において、像面Ｓの物体側、すなわち像面Ｓと第６レンズ素子Ｌ６との間には、平行平板Ｐが設けられている。
【００２４】
実施の形態１に係るズームレンズ系において、撮像時の広角端から望遠端へのズーミングの際に、第１レンズ群Ｇ１は、像側に凸の軌跡を描いて物体側へ移動し、第２レンズ群Ｇ２は、略単調に物体側へ移動し、第３レンズ群Ｇ３は、略単調に像側へ移動する。すなわち、ズーミングに際して、第１レンズ群Ｇ１と第２レンズ群Ｇ２との間隔が変化し、第２レンズ群Ｇ２と第３レンズ群Ｇ３との間隔が増大するように、全レンズ群が光軸に沿ってそれぞれ移動する。
【００２５】
さらに、実施の形態１に係るズームレンズ系において、無限遠合焦状態から近接物体合焦状態へのフォーカシングの際に、第３レンズ群Ｇ３が光軸に沿って物体側へ移動する。
【００２６】
なお、実施の形態１に係るズームレンズ系では、第２レンズ群Ｇ２全体を光軸に直交する方向に移動させることによって、全系の振動による像点移動を補正することができる。すなわち、全系の振動による像点移動を補正する際に、第２レンズ群Ｇ２全体が光軸に直交する方向に移動することにより、ズームレンズ系全体の大型化を抑制してコンパクトに構成しながら、偏心コマ収差や偏心非点収差が小さい優れた結像特性を維持して、手ぶれ、振動等による像のぶれを光学的に補正することができる。
【００２７】
図３に示すように、実施の形態２に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。これらのうち、第２レンズ素子Ｌ２は、その両面が非球面である。なお、第２レンズ素子Ｌ２は、後述する条件（１）〜（４）を全て満足する。
【００２８】
実施の形態２に係るズームレンズ系において、第２レンズ群Ｇ２は、物体側から像側へと順に、両凸形状の第３レンズ素子Ｌ３と、両凹形状の第４レンズ素子Ｌ４と、物体側に凸面を向けた負メニスカス形状の第５レンズ素子Ｌ５とからなる。これらのうち、第３レンズ素子Ｌ３と第４レンズ素子Ｌ４とが接合されており、後述する対応数値実施例における面データでは、これら第３レンズ素子Ｌ３と第４レンズ素子Ｌ４との間の接着剤層に面番号７が付与されている。また、第５レンズ素子Ｌ５は、その両面が非球面である。なお、第５レンズ素子Ｌ５は、後述する条件（１）〜（４）を全て満足する。
【００２９】
実施の形態２に係るズームレンズ系において、第３レンズ群Ｇ３は、像側に凸面を向けた正メニスカス形状の第６レンズ素子Ｌ６のみからなる。この第６レンズ素子Ｌ６は、その両面が非球面である。また、第６レンズ素子Ｌ６は、後述する条件（１）〜（４）を全て満足する。
【００３０】
なお、実施の形態２に係るズームレンズ系において、第２レンズ群Ｇ２の物体側には、開口絞りＡが設けられている。該開口絞りＡは、撮像時の広角端から望遠端へのズーミングの際に、第２レンズ群Ｇ２と一体的に光軸上を物体側へ移動する。
【００３１】
実施の形態２に係るズームレンズ系において、像面Ｓの物体側、すなわち像面Ｓと第６レンズ素子Ｌ６との間には、平行平板Ｐが設けられている。
【００３２】
実施の形態２に係るズームレンズ系において、撮像時の広角端から望遠端へのズーミングの際に、第１レンズ群Ｇ１は、像側に凸の軌跡を描いて物体側へ移動し、第２レンズ群Ｇ２は、略単調に物体側へ移動し、第３レンズ群Ｇ３は、略単調に像側へ移動する。すなわち、ズーミングに際して、第１レンズ群Ｇ１と第２レンズ群Ｇ２との間隔が変化し、第２レンズ群Ｇ２と第３レンズ群Ｇ３との間隔が増大するように、全レンズ群が光軸に沿ってそれぞれ移動する。
【００３３】
さらに、実施の形態２に係るズームレンズ系において、無限遠合焦状態から近接物体合焦状態へのフォーカシングの際に、第３レンズ群Ｇ３が光軸に沿って物体側へ移動する。
【００３４】
なお、実施の形態２に係るズームレンズ系では、第２レンズ群Ｇ２全体を光軸に直交する方向に移動させることによって、全系の振動による像点移動を補正することができる。すなわち、全系の振動による像点移動を補正する際に、第２レンズ群Ｇ２全体が光軸に直交する方向に移動することにより、ズームレンズ系全体の大型化を抑制してコンパクトに構成しながら、偏心コマ収差や偏心非点収差が小さい優れた結像特性を維持して、手ぶれ、振動等による像のぶれを光学的に補正することができる。
【００３５】
図５に示すように、実施の形態３に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。これらのうち、第２レンズ素子Ｌ２は、その両面が非球面である。なお、第２レンズ素子Ｌ２は、後述する条件（１）〜（４）を全て満足する。
【００３６】
実施の形態３に係るズームレンズ系において、第２レンズ群Ｇ２は、物体側から像側へと順に、両凸形状の第３レンズ素子Ｌ３と、両凹形状の第４レンズ素子Ｌ４と、物体側に凸面を向けた負メニスカス形状の第５レンズ素子Ｌ５とからなる。これらのうち、第３レンズ素子Ｌ３と第４レンズ素子Ｌ４とが接合されており、後述する対応数値実施例における面データでは、これら第３レンズ素子Ｌ３と第４レンズ素子Ｌ４との間の接着剤層に面番号７が付与されている。また、第５レンズ素子Ｌ５は、その両面が非球面である。なお、第５レンズ素子Ｌ５は、後述する条件（１）〜（４）を全て満足する。
【００３７】
実施の形態３に係るズームレンズ系において、第３レンズ群Ｇ３は、像側に凸面を向けた正メニスカス形状の第６レンズ素子Ｌ６のみからなる。この第６レンズ素子Ｌ６は、その両面が非球面である。また、第６レンズ素子Ｌ６は、後述する条件（１）〜（４）を全て満足する。
【００３８】
なお、実施の形態３に係るズームレンズ系において、第２レンズ群Ｇ２の物体側には、開口絞りＡが設けられている。該開口絞りＡは、撮像時の広角端から望遠端へのズーミングの際に、第２レンズ群Ｇ２と一体的に光軸上を物体側へ移動する。
【００３９】
実施の形態３に係るズームレンズ系において、像面Ｓの物体側、すなわち像面Ｓと第６レンズ素子Ｌ６との間には、平行平板Ｐが設けられている。
【００４０】
実施の形態３に係るズームレンズ系において、撮像時の広角端から望遠端へのズーミングの際に、第１レンズ群Ｇ１は、像側に凸の軌跡を描いて像側へ移動し、第２レンズ群Ｇ２は、略単調に物体側へ移動し、第３レンズ群Ｇ３は、略単調に像側へ移動する。すなわち、ズーミングに際して、第１レンズ群Ｇ１と第２レンズ群Ｇ２との間隔が変化し、第２レンズ群Ｇ２と第３レンズ群Ｇ３との間隔が増大するように、全レンズ群が光軸に沿ってそれぞれ移動する。
【００４１】
さらに、実施の形態３に係るズームレンズ系において、無限遠合焦状態から近接物体合焦状態へのフォーカシングの際に、第３レンズ群Ｇ３が光軸に沿って物体側へ移動する。
【００４２】
なお、実施の形態３に係るズームレンズ系では、第２レンズ群Ｇ２全体を光軸に直交する方向に移動させることによって、全系の振動による像点移動を補正することができる。すなわち、全系の振動による像点移動を補正する際に、第２レンズ群Ｇ２全体が光軸に直交する方向に移動することにより、ズームレンズ系全体の大型化を抑制してコンパクトに構成しながら、偏心コマ収差や偏心非点収差が小さい優れた結像特性を維持して、手ぶれ、振動等による像のぶれを光学的に補正することができる。
【００４３】
図７に示すように、実施の形態４に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。これらのうち、第２レンズ素子Ｌ２は、その両面が非球面である。なお、第２レンズ素子Ｌ２は、後述する条件（１）〜（４）を全て満足する。
【００４４】
実施の形態４に係るズームレンズ系において、第２レンズ群Ｇ２は、物体側から像側へと順に、両凸形状の第３レンズ素子Ｌ３と、両凹形状の第４レンズ素子Ｌ４と、物体側に凸面を向けた負メニスカス形状の第５レンズ素子Ｌ５とからなる。これらのうち、第３レンズ素子Ｌ３と第４レンズ素子Ｌ４とが接合されており、後述する対応数値実施例における面データでは、これら第３レンズ素子Ｌ３と第４レンズ素子Ｌ４との間の接着剤層に面番号７が付与されている。また、第５レンズ素子Ｌ５は、その両面が非球面である。なお、第５レンズ素子Ｌ５は、後述する条件（１）〜（４）を全て満足する。
【００４５】
実施の形態４に係るズームレンズ系において、第３レンズ群Ｇ３は、像側に凸面を向けた正メニスカス形状の第６レンズ素子Ｌ６のみからなる。この第６レンズ素子Ｌ６は、その両面が非球面である。また、第６レンズ素子Ｌ６は、後述する条件（１）〜（４）を全て満足する。
【００４６】
なお、実施の形態４に係るズームレンズ系において、第２レンズ群Ｇ２の物体側には、開口絞りＡが設けられている。該開口絞りＡは、撮像時の広角端から望遠端へのズーミングの際に、第２レンズ群Ｇ２と一体的に光軸上を物体側へ移動する。
【００４７】
実施の形態４に係るズームレンズ系において、像面Ｓの物体側、すなわち像面Ｓと第６レンズ素子Ｌ６との間には、平行平板Ｐが設けられている。
【００４８】
実施の形態４に係るズームレンズ系において、撮像時の広角端から望遠端へのズーミングの際に、第１レンズ群Ｇ１は、像側に凸の軌跡を描いて物体側へ移動し、第２レンズ群Ｇ２は、略単調に物体側へ移動し、第３レンズ群Ｇ３は、略単調に像側へ移動する。すなわち、ズーミングに際して、第１レンズ群Ｇ１と第２レンズ群Ｇ２との間隔が変化し、第２レンズ群Ｇ２と第３レンズ群Ｇ３との間隔が増大するように、全レンズ群が光軸に沿ってそれぞれ移動する。
【００４９】
さらに、実施の形態４に係るズームレンズ系において、無限遠合焦状態から近接物体合焦状態へのフォーカシングの際に、第３レンズ群Ｇ３が光軸に沿って物体側へ移動する。
【００５０】
なお、実施の形態４に係るズームレンズ系では、第２レンズ群Ｇ２全体を光軸に直交する方向に移動させることによって、全系の振動による像点移動を補正することができる。すなわち、全系の振動による像点移動を補正する際に、第２レンズ群Ｇ２全体が光軸に直交する方向に移動することにより、ズームレンズ系全体の大型化を抑制してコンパクトに構成しながら、偏心コマ収差や偏心非点収差が小さい優れた結像特性を維持して、手ぶれ、振動等による像のぶれを光学的に補正することができる。
【００５１】
以下、例えば実施の形態１〜４に係るズームレンズ系のごときズームレンズ系が満足することが好ましい条件を説明する。なお、各実施の形態に係るズームレンズ系に対して、複数の好ましい条件が規定されるが、これら複数の条件すべてを満足するズームレンズ系の構成が最も望ましい。しかしながら、個別の条件を満足することにより、それぞれ対応する効果を奏するズームレンズ系を得ることも可能である。
【００５２】
例えば実施の形態１〜４に係るズームレンズ系のように、少なくとも１枚のレンズ素子で構成されたレンズ群を複数有し、物体側から像側へと順に、負のパワーを有する第１レンズ群と、正のパワーを有する第２レンズ群と、正のパワーを有する第３レンズ群とを備え、撮像時の広角端から望遠端へのズーミングの際に、少なくとも３つのレンズ群を光軸に沿って移動させて変倍を行う（以下、このレンズ構成を、実施の形態の基本構成という）ズームレンズ系においては、各レンズ群が、以下の条件（１）〜（４）を満足するレンズ素子を少なくとも１枚有し、該ズームレンズ系が、以下の条件（５）を満足する。
２１＜νｄ  ・・・（１）
０．５５＜ＰｇＦ  ・・・（２）
０．０００＜ＰｇＦ＋０．００３２×νｄ−０．７０５  ・・・（３）
０．０００＜ＰｇＦ＋０．００２０×νｄ−０．６６４  ・・・（４）
３．８５＜Ｚ×ｔａｎ（ωW）  ・・・（５）
ここで、
νｄ：レンズ系を構成するレンズ素子のｄ線に対するアッベ数、
ＰｇＦ：レンズ系を構成するレンズ素子のｇ線とＦ線との部分分散比、
Ｚ：次式で表される値
Ｚ＝ｆT／ｆW、
ｆW：広角端におけるレンズ系の焦点距離、
ｆT：望遠端におけるレンズ系の焦点距離、
ωW：広角端における半画角（°）
である。
【００５３】
前記条件（１）〜（４）は、レンズ素子の部分分散比を規定するための条件である。条件（１）〜（４）を全て満足するレンズ素子を有さないレンズ群がズームレンズ系に存在する場合には、二次スペクトルの制御が困難になり、色収差を良好に補正するためには、ズームレンズ系の全長が長くなってしまうか、又はレンズ素子の枚数が増加する。すなわち、コンパクトなレンズ鏡筒や撮像装置、カメラを提供することが困難となる。
【００５４】
なお、さらに以下の条件（１）’を満足することにより、前記効果をさらに奏功させることができるほか、低コスト化を図ることもできる。
２１＜νｄ＜５９  ・・・（１）’
【００５５】
前記条件（５）は、ズームレンズ系の焦点距離及び画角を規定するための条件である。条件（５）を満足しない場合には、望遠端におけるレンズ系の焦点距離と広角端におけるレンズ系の焦点距離との比が小さくなるか、あるいは十分に広い画角を確保することができず、近年望まれるような利便性を満足することが困難となる。
【００５６】
なお、さらに以下の条件（５）’を満足することにより、前記効果をさらに奏功させることができる。
４．１７＜Ｚ×ｔａｎ（ωW）  ・・・（５）’
【００５７】
実施の形態１〜４に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、好ましい。
【００５８】
（実施の形態５）
図９は、実施の形態５に係るデジタルスチルカメラの概略構成図である。図９において、デジタルスチルカメラは、ズームレンズ系１とＣＣＤである撮像素子２とを含む撮像装置と、液晶モニタ３と、筐体４とから構成される。ズームレンズ系１として、実施の形態１に係るズームレンズ系が用いられている。図９において、ズームレンズ系１は、第１レンズ群Ｇ１と、開口絞りＡと、第２レンズ群Ｇ２と、第３レンズ群Ｇ３とから構成されている。筐体４は、前側にズームレンズ系１が配置され、ズームレンズ系１の後側には、撮像素子２が配置されている。筐体４の後側に液晶モニタ３が配置され、ズームレンズ系１による被写体の光学的な像が像面Ｓに形成される。
【００５９】
鏡筒は、主鏡筒５と、移動鏡筒６と、円筒カム７とで構成されている。円筒カム７を回転させると、第１レンズ群Ｇ１、開口絞りＡと第２レンズ群Ｇ２、及び第３レンズ群Ｇ３が撮像素子２を基準にした所定の位置に移動し、広角端から望遠端までのズーミングを行うことができる。第３レンズ群Ｇ３はフォーカス調整用モータにより光軸方向に移動可能である。
【００６０】
こうして、デジタルスチルカメラに実施の形態１に係るズームレンズ系を用いることにより、解像度及び像面湾曲を補正する能力が高く、非使用時のレンズ全長が短い小型のデジタルスチルカメラを提供することができる。なお、図９に示したデジタルスチルカメラには、実施の形態１に係るズームレンズ系の替わりに実施の形態２〜４に係るズームレンズ系のいずれかを用いてもよい。また、図９に示したデジタルスチルカメラの光学系は、動画像を対象とするデジタルビデオカメラに用いることもできる。この場合、静止画像だけでなく、解像度の高い動画像を撮影することができる。
【００６１】
なお、本実施の形態５に係るデジタルスチルカメラでは、ズームレンズ系１として実施の形態１〜４に係るズームレンズ系を示したが、これらのズームレンズ系は、全てのズーミング域を使用する必要はない。すなわち、所望のズーミング域に応じて、光学性能が確保されている範囲を切り出し、実施の形態１〜４で説明したズームレンズ系よりも低倍率のズームレンズ系として使用してもよい。
【００６２】
さらに、実施の形態５では、いわゆる沈胴構成の鏡筒にズームレンズ系を適用した例を示したが、これに限られない。例えば、第１レンズ群Ｇ１内等の任意の位置に、内部反射面を持つプリズムや、表面反射ミラーを配置し、いわゆる屈曲構成の鏡筒にズームレンズ系を適用してもよい。さらに、実施の形態５において、第２レンズ群Ｇ２全体、第２レンズ群Ｇ２の一部等のズームレンズ系を構成している一部のレンズ群を、沈胴時に光軸上から退避させる、いわゆるスライディング鏡筒にズームレンズ系を適用してもよい。
【００６３】
また、以上説明した実施の形態１〜４に係るズームレンズ系と、ＣＣＤやＣＭＯＳ等の撮像素子とから構成される撮像装置を、スマートフォン等の携帯情報端末、監視システムにおける監視カメラ、Ｗｅｂカメラ、車載カメラ等に適用することもできる。
【００６４】
以下、実施の形態１〜４に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
2013145285.tif 000003
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【００６５】
図２、４、６及び８は、各々数値実施例１〜４に係るズームレンズ系の縦収差図である。
【００６６】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）、一点破線はｇ線（ｇ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【００６７】
（数値実施例１）
数値実施例１のズームレンズ系は、図１に示した実施の形態１に対応する。数値実施例１のズームレンズ系の面データを表１に、非球面データを表２に、各種データを表３に示す。
【００６８】
表  １（面データ）
面番号         r           d           nd         vd
物面             ∞
1        196.45960     0.30000     1.72916    54.7 
2          5.98460     1.86770 
3*         8.66670     1.53070     1.63550    23.9 
4*        14.84410        可変
5(絞り)           ∞    -0.30000
6          4.58530     1.58970     1.72916    54.7 
7         -8.94400     0.00500     1.56732    42.8 
8         -8.94400     0.30000     1.62004    36.3 
9         36.01690     0.49620 
10*         8.37030     1.28650     1.63550    23.9 
11*         3.69800        可変
12*       -35.59240     1.43840     1.54310    56.0 
13*        -7.00810        可変
14               ∞     0.50000     1.51680    64.2
15               ∞     0.37000
16               ∞        (BF)
像面             ∞
【００６９】
表  ２（非球面データ）
第3面
K= 0.00000E+00, A4=-1.96013E-04, A6= 8.08283E-06, A8=-1.38859E-06
A10= 5.09613E-08, A12=-4.79626E-11, A14= 1.28647E-11, A16=-1.00260E-12 
第4面
K= 0.00000E+00, A4=-4.49795E-04, A6= 2.80911E-06, A8=-1.82439E-06
A10= 1.18077E-07, A12=-2.34888E-09, A14=-9.27771E-18, A16= 1.24568E-16 
第10面
K= 0.00000E+00, A4=-2.78446E-03, A6=-2.52712E-04, A8= 8.93720E-06
A10= 2.13422E-05, A12=-7.27526E-06, A14= 1.74476E-07, A16= 1.16882E-07 
第11面
K= 0.00000E+00, A4= 1.43930E-04, A6= 2.45586E-04, A8=-7.63582E-05
A10=-2.11697E-05, A12= 1.03466E-05, A14= 5.08150E-06, A16=-1.72649E-06 
第12面
K= 0.00000E+00, A4= 6.59545E-04, A6=-7.68656E-05, A8= 7.03087E-06
A10=-2.67241E-07, A12= 4.96282E-09, A14= 1.20119E-18, A16= 5.61307E-17 
第13面
K= 0.00000E+00, A4= 1.81052E-03, A6=-1.03965E-04, A8= 8.50713E-06
A10=-3.50264E-07, A12= 7.11113E-09, A14=-7.86620E-19, A16=-3.92809E-17
【００７０】
表  ３（各種データ）
ズーム比     4.60994
広角      中間      望遠
焦点距離       4.4515    9.2575   20.5212
Ｆナンバー     2.66857   3.94423   6.83512
画角        42.0652   22.4476   10.4202
像高         3.4000    3.8770    3.8770
レンズ全長     30.6310   26.1886   31.7260
ＢＦ        0.04090  -0.00776  -0.01299
d4          14.7223    5.6089    0.6000 
d11          3.0287    8.1765   18.7176 
d13          3.4549    3.0269    3.0372 
入射瞳位置      7.1348    4.9579    2.6926
射出瞳位置    -13.0677  -39.0826   56.0917
前側主点位置   10.0747   12.0222   30.7198
後側主点位置   26.1795   16.9311   11.2048
単レンズデータ
レンズ     始面     焦点距離
1         1       -8.4710
2         3       29.8926
3         6        4.3739
4         8      -11.5259
5        10      -11.6736
6        12       15.7880
ズームレンズ群データ
群   始面    焦点距離  レンズ構成長    前側主点位置  後側主点位置
1      1   -12.19926     3.69840        -0.09212       0.68998
2      5     8.89034     3.37740        -2.80370      -0.37274
3     12    15.78795     1.43840         1.14049       1.66296
ズームレンズ群倍率
群   始面    広角       中間       望遠
1      1    0.00000    0.00000    0.00000
2      5   -0.48752   -0.97455   -2.16119
3     12    0.74849    0.77868    0.77835
【００７１】
（数値実施例２）
数値実施例２のズームレンズ系は、図３に示した実施の形態２に対応する。数値実施例２のズームレンズ系の面データを表４に、非球面データを表５に、各種データを表６に示す。
【００７２】
表  ４（面データ）
面番号         r           d           nd         vd
物面             ∞
1        222.84880     0.30000     1.72916    54.7 
2          6.01950     1.88340 
3*         8.86730     1.57900     1.63550    23.9 
4*        15.48540        可変
5(絞り)           ∞    -0.30000
6          4.61350     1.59050     1.72916    54.7 
7         -8.84760     0.00500     1.56732    42.8 
8         -8.84760     0.30000     1.62004    36.3 
9         34.90890     0.54270 
10*         8.20480     1.24370     1.63550    23.9 
11*         3.70100        可変
12*       -66.13510     1.62480     1.54310    56.0 
13*        -7.29070        可変
14               ∞     0.50000     1.51680    64.2
15               ∞     0.37000
16               ∞        (BF)
像面             ∞
【００７３】
表  ５（非球面データ）
第3面
K= 0.00000E+00, A4=-2.03336E-04, A6= 7.43232E-06, A8=-1.40256E-06
A10= 5.08524E-08, A12=-5.33642E-11, A14= 1.27511E-11, A16=-1.04586E-12 
第4面
K= 0.00000E+00, A4=-4.57277E-04, A6= 2.48426E-06, A8=-1.83608E-06
A10= 1.17169E-07, A12=-2.38445E-09, A14=-4.87226E-13, A16= 7.25019E-14 
第10面
K= 0.00000E+00, A4=-2.80994E-03, A6=-3.22624E-04, A8=-1.39850E-06
A10= 2.52223E-05, A12=-5.44343E-06, A14= 3.79121E-07, A16=-1.03962E-07 
第11面
K= 0.00000E+00, A4=-4.30884E-06, A6=-9.31272E-07, A8= 1.09657E-06
A10= 8.69228E-07, A12= 3.82949E-07, A14= 1.18806E-07, A16=-3.53419E-09 
第12面
K= 0.00000E+00, A4= 7.09832E-04, A6=-7.26448E-05, A8= 7.03797E-06
A10=-2.75470E-07, A12= 3.81777E-09, A14= 4.78240E-12, A16= 2.12344E-13 
第13面
K= 0.00000E+00, A4= 1.86079E-03, A6=-1.07020E-04, A8= 8.45615E-06
A10=-3.48854E-07, A12= 7.87298E-09, A14=-7.28297E-11, A16=-2.10464E-13
【００７４】
表  ６（各種データ）
ズーム比     4.31779
広角      中間      望遠
焦点距離       4.4995    9.2460   19.4279
Ｆナンバー     2.65780   3.91002   6.49628
画角        41.7270   22.5375   10.9634
像高         3.4000    3.8770    3.8770
レンズ全長     30.4067   26.2130   31.3965
ＢＦ        0.04059  -0.00687  -0.00786
d4          14.3015    5.4047    0.6000 
d11          3.0767    8.1459   17.9006 
d13          3.3488    3.0301    3.2647 
入射瞳位置      7.0800    4.9040    2.7180
射出瞳位置    -13.6306  -44.6564   49.8187
前側主点位置   10.0986   12.2353   29.7210
後側主点位置   25.9072   16.9670   11.9686
単レンズデータ
レンズ     始面     焦点距離
1         1       -8.4895
2         3       29.8787
3         6        4.3767
4         8      -11.3543
5        10      -11.8847
6        12       14.9423
ズームレンズ群データ
群   始面    焦点距離  レンズ構成長    前側主点位置  後側主点位置
1      1   -12.25722     3.76240        -0.10660       0.69194
2      5     8.93828     3.38190        -2.79457      -0.38423
3     12    14.94226     1.62480         1.17201       1.75400
ズームレンズ群倍率
群   始面    広角       中間       望遠
1      1    0.00000    0.00000    0.00000
2      5   -0.49945   -0.99320   -2.13078
3     12    0.73499    0.75949    0.74387
【００７５】
（数値実施例３）
数値実施例３のズームレンズ系は、図５に示した実施の形態３に対応する。数値実施例３のズームレンズ系の面データを表７に、非球面データを表８に、各種データを表９に示す。
【００７６】
表  ７（面データ）
面番号         r           d           nd         vd
物面             ∞
1        235.37140     0.30000     1.72916    54.7 
2          6.01840     1.86370 
3*         8.31700     1.48630     1.63550    23.9 
4*        13.84110        可変
5(絞り)           ∞    -0.30000
6          4.61470     1.60620     1.72916    54.7 
7         -8.85410     0.00500     1.56732    42.8 
8         -8.85410     0.30000     1.62004    36.3 
9         34.57260     0.55260 
10*         8.17370     1.24840     1.63550    23.9 
11*         3.69490        可変
12*       -20.51670     2.16590     1.54310    56.0 
13*        -7.20340        可変
14               ∞     0.50000     1.51680    64.2
15               ∞     0.37000
16               ∞        (BF)
像面             ∞
【００７７】
表  ８（非球面データ）
第3面
K= 0.00000E+00, A4=-2.34823E-04, A6= 6.10169E-06, A8=-1.42295E-06
A10= 5.08065E-08, A12=-4.22011E-11, A14= 1.35149E-11, A16=-1.02289E-12 
第4面
K= 0.00000E+00, A4=-4.51001E-04, A6= 2.26972E-06, A8=-1.86413E-06
A10= 1.16261E-07, A12=-2.39295E-09, A14= 1.16352E-12, A16= 1.99896E-13 
第10面
K= 0.00000E+00, A4=-2.81246E-03, A6=-3.17027E-04, A8= 1.26359E-06
A10= 2.60885E-05, A12=-5.27339E-06, A14= 3.68234E-07, A16=-1.37058E-07 
第11面
K= 0.00000E+00, A4= 3.14401E-05, A6= 1.59978E-05, A8= 7.62334E-06
A10= 2.58096E-06, A12= 7.55257E-07, A14= 1.82345E-07, A16=-2.47830E-08 
第12面
K= 0.00000E+00, A4= 6.64463E-04, A6=-7.45152E-05, A8= 6.77172E-06
A10=-2.84998E-07, A12= 4.22037E-09, A14= 8.01369E-11, A16= 6.09090E-13 
第13面
K= 0.00000E+00, A4= 1.74441E-03, A6=-1.14053E-04, A8= 8.30671E-06
A10=-3.51346E-07, A12= 7.71998E-09, A14=-6.51900E-11, A16= 3.43386E-12
【００７８】
表  ９（各種データ）
ズーム比     5.11031
広角      中間      望遠
焦点距離       4.4480    9.7188   22.7307
Ｆナンバー     2.83419   4.24150   7.63638
画角        43.2327   21.6529    9.5150
像高         3.4000    3.8770    3.8770
レンズ全長     33.0929   27.0490   32.9277
ＢＦ        0.03311  -0.00171  -0.02706
d4          16.6863    5.9884    0.6000 
d11          2.8361    7.8662   19.1731 
d13          3.4394    3.0980    3.0836 
入射瞳位置      7.4556    5.0869    2.6772
射出瞳位置    -13.2864  -31.8464  121.9587
前側主点位置   10.4182   11.8396   29.6434
後側主点位置   28.6449   17.3302   10.1971
単レンズデータ
レンズ     始面     焦点距離
1         1       -8.4751
2         3       29.6877
3         6        4.3807
4         8      -11.3384
5        10      -11.8995
6        12       19.3330
ズームレンズ群データ
群   始面    焦点距離  レンズ構成長    前側主点位置  後側主点位置
1      1   -12.21862     3.65000        -0.07720       0.69406
2      5     8.92111     3.41220        -2.81152      -0.37590
3     12    19.33296     2.16590         2.04590       2.88422
ズームレンズ群倍率
群   始面    広角       中間       望遠
1      1    0.00000    0.00000    0.00000
2      5   -0.44321   -0.94601   -2.20714
3     12    0.82135    0.84081    0.84287
【００７９】
（数値実施例４）
数値実施例４のズームレンズ系は、図７に示した実施の形態４に対応する。数値実施例４のズームレンズ系の面データを表１０に、非球面データを表１１に、各種データを表１２に示す。
【００８０】
表  １０（面データ）
面番号         r           d           nd         vd
物面             ∞
1        444.39660     0.30000     1.72916    54.7 
2          6.07460     1.88870 
3*         8.51540     0.92120     1.63550    23.9 
4*        14.39820        可変
5(絞り)           ∞    -0.30000
6          4.58500     1.58970     1.72916    54.7 
7         -8.99450     0.00500     1.56732    42.8 
8         -8.99450     0.30000     1.62004    36.3 
9         32.03060     0.49610 
10*         8.11060     1.28850     1.63550    23.9 
11*         3.70180        可変
12*       -37.24560     1.43290     1.54410    89.3 
13*        -7.05250        可変
14               ∞     0.50000     1.51680    64.2
15               ∞     0.37000
16               ∞        (BF)
像面             ∞
【００８１】
表  １１（非球面データ）
第3面
K= 0.00000E+00, A4=-2.11090E-04, A6= 6.23593E-06, A8=-1.42630E-06
A10= 5.16580E-08, A12=-4.67328E-13, A14= 1.34895E-11, A16=-1.11072E-12 
第4面
K= 0.00000E+00, A4=-4.41879E-04, A6= 3.42217E-06, A8=-1.85379E-06
A10= 1.15716E-07, A12=-2.42032E-09, A14= 1.61082E-12, A16= 2.19198E-13 
第10面
K= 0.00000E+00, A4=-2.74532E-03, A6=-2.48882E-04, A8= 8.24297E-06
A10= 2.10603E-05, A12=-7.30674E-06, A14= 1.96369E-07, A16= 1.36916E-07 
第11面
K= 0.00000E+00, A4= 1.52362E-04, A6= 2.49533E-04, A8=-7.24049E-05
A10=-1.86667E-05, A12= 1.14230E-05, A14= 5.21832E-06, A16=-1.90992E-06 
第12面
K= 0.00000E+00, A4= 4.93295E-04, A6=-8.14782E-05, A8= 7.07908E-06
A10=-2.61719E-07, A12= 5.01994E-09, A14=-9.31782E-12, A16=-3.00411E-13 
第13面
K= 0.00000E+00, A4= 1.62384E-03, A6=-1.07312E-04, A8= 8.38044E-06
A10=-3.51409E-07, A12= 7.48865E-09, A14= 3.05714E-12, A16= 1.97333E-13
【００８２】
表  １２（各種データ）
ズーム比     4.60981
広角      中間      望遠
焦点距離       4.4505    9.3071   20.5159
Ｆナンバー     2.65753   3.93674   6.79921
画角        42.0779   22.3453   10.4118
像高         3.4000    3.8770    3.8770
レンズ全長     30.0447   25.5597   31.1822
ＢＦ        0.03586  -0.01299  -0.03129
d4          14.7482    5.5428    0.6000 
d11          3.0025    8.1373   18.6672 
d13          3.4661    3.1005    3.1541 
入射瞳位置      6.9623    4.7355    2.4660
射出瞳位置    -13.0163  -38.9409   55.5665
前側主点位置    9.8952   11.8174   30.5524
後側主点位置   25.5942   16.2526   10.6663
単レンズデータ
レンズ     始面     焦点距離
1         1       -8.4488
2         3       30.9144
3         6        4.3812
4         8      -11.2943
5        10      -12.0887
6        12       15.7265
ズームレンズ群データ
群   始面    焦点距離  レンズ構成長    前側主点位置  後側主点位置
1      1   -12.23503     3.10990        -0.26642       0.19176
2      5     8.88459     3.37930        -2.78611      -0.36312
3     12    15.72648     1.43290         1.12592       1.64609
ズームレンズ群倍率
群   始面    広角       中間       望遠
1      1    0.00000    0.00000    0.00000
2      5   -0.48734   -0.98441   -2.17628
3     12    0.74639    0.77274    0.77050
【００８３】
以下の表１３に、各数値実施例のズームレンズ系における各条件の対応値を示す。
【００８４】
表  １３（条件の対応値）
【表１】
2013145285.tif 000004
【産業上の利用可能性】
【００８５】
本発明に係るズームレンズ系は、デジタルカメラ、スマートフォン等の携帯情報端末、監視システムにおける監視カメラ、Ｗｅｂカメラ、車載カメラ等のデジタル入力装置に適用可能であり、特にデジタルカメラ等の高画質が要求される撮影光学系に好適である。
【符号の説明】
【００８６】
Ｇ１    第１レンズ群
Ｇ２    第２レンズ群
Ｇ３    第３レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ａ      開口絞り
Ｐ      平行平板
Ｓ      像面
１      ズームレンズ系
２      撮像素子
３      液晶モニタ
４      筐体
５      主鏡筒
６      移動鏡筒
７      円筒カム
【図１】
2013145285.tif 000005
【図２】
2013145285.tif 000006
【図３】
2013145285.tif 000007
【図４】
2013145285.tif 000008
【図５】
2013145285.tif 000009
【図６】
2013145285.tif 000010
【図７】
2013145285.tif 000011
【図８】
2013145285.tif 000012
【図９】
2013145285.tif 000013